(57)【特許請求の範囲】
【請求項１】
着脱交換可能な小型ガス容器を使用するガス燃焼器具において、燃焼部、そこへ供給するガス燃料の制御部、小型ガス容器の取り付け部及びそれらを一体に組み合わせる構造体を有する作動ユニットと、燃焼部上に調理容器等を配置しておく五徳及び底板並びにその周囲を取り囲む周面板からなる燃焼部周りの構造体を有する筐体ユニットと、作動ユニットと筐体ユニットとを、互いに側方から嵌め合わせて両ユニットを所定の位置関係に規定する嵌合手段と、位置関係を規定されている上記両ユニットをガス燃焼器具として使用可能な状態に固定するために、上記両ユニット間に設けられた結合子とそれが結合可能な結合相手を有する固定手段とを具備したことを特徴とするガス燃焼器具。
【請求項２】
作動ユニットと筐体ユニットとは単に嵌合、分離可能であるだけではなく、分離したときに筐体内が空虚となりかつ嵌合部にて底面が露出する構造を有する請求項１のガス燃焼器具。
【発明の詳細な説明】
【０００１】
【発明の属する技術分野】
本発明は着脱交換可能な小型ガス容器を使用するガス燃焼器具に関するものである。
【０００２】
【従来の技術】
携帯型のガスこんろに代表されるこの種のガス燃焼器具は、器具本体の一方の側に五徳と汁受け皿を配置した燃焼部を設け、他の一方の側に小型ガス容器の取り付け部とガスの制御部を設けた、所謂一体型の構造を持っている。このため、汁受け皿しか脱着することができないから、底部の汚れを落としにくく、業務用等使用頻度の高いこんろは汚れの進行が早いという問題がある。
【０００３】
また従来の一体型の構造を持つガス燃焼器具では、新製品の開発時にはもとより、部分的な改良時にも、設計の全てを見直す必要がある。一部分の変更の影響が全体に及ぶことがあるからである。
【０００４】
これに対して特開平７−２７３３７号の発明は、カセットボンベが装填されるべき収納箱とバーナーが取り付けられた本体箱とを備えた分離型カセットこんろを開示しており、かしめ又はボルトナットにより収納箱と本体箱とを結合し、カセットこんろを形成することができる。しかし同発明は１台のこんろを２部分に分割したものといって良く、構造上の利点が少ないばかりか、２個の箱は側板が１枚余分に必要になるだけである。また汁受け皿しか取り外せない点では従来型こんろと変わらず、汚れの進行を止めたり汚れを軽減するような効果は期待することができない。
【０００５】
【発明が解決しようとする課題】
本発明は前記の点に着目してなされたものであり、その課題はガス燃焼器具を作動ユニットと筐体ユニットの２部分から構成することによって、例えば作動ユニットと筐体ユニットとを自由に組み合わせて各種のガス器具を構成することにより、様々の製品展開を可能とする点にある。
【０００６】
また本発明の他の課題は、新製品の開発時に、例えば筐体ユニットの方のみの設計で済むようにすることであり、またそれによって筐体ユニットの多様なデザインを与えられるようにすることである。
【０００７】
また本発明の他の課題は、複数ユニットに分離可能であることにより、清掃が容易で丸洗いのような扱いも可能なガス燃焼器具を提供する点にある。
【０００８】
【課題を解決するための手段】
前記の課題を解決するため本発明は、燃焼部、そこへ供給するガス燃料の制御部、小型ガス容器の取り付け部及びそれらを一体に組み合わせる構造体を有する作動ユニットと、燃焼部上に調理容器等を配置しておく五徳及び底板並びにその周囲を取り囲む周面板からなる燃焼部周りの構造体を有する筐体ユニットと、作動ユニットと筐体ユニットとを、互いに側方から嵌め合わせて両ユニットを所定の位置関係に規定する嵌合手段と、位置関係を規定されている上記両ユニットをガス燃焼器具として使用可能な状態に上記両ユニットを固定するために、上記両ユニット間に設けられた結合子とそれが結合可能な結合相手を有する固定手段とによってガス燃焼器具を構成したものである。
【０００９】
【発明の実施の形態】
本発明は、着脱交換可能な小型ガス容器を使用するガス燃焼器具に関する。小型ガス容器はガス器具に搭載して使用するもので、使用状態においてノズルから吐出した気化ガスをガバナー等と称される制御部の減圧器で圧力調整の上、器具栓摘みによる開閉操作で燃焼部へ送り、燃焼可能な混合気として噴出させることとなる。
【００１０】
従ってガス燃焼器具の構造は、上記の小型ガス容器から燃焼部へ到る、主として燃焼という作動を司る作動部と、燃焼部周りの構造体に係る筐体部とに分けて取り扱うことができる。そこで本発明では燃焼部、ガス燃焼の制御部、小型ガス容器の取り付け部等を構造体によって一体として取り扱える形態の作動ユニットとしてまとめ、また燃焼部上に調理容器等を配置しておく五徳及び燃焼部周りの構造体等を筐体ユニットとしてまとめる構成とした。
【００１１】
作動ユニットは筐体ユニットとは独立して作動可能であり、具体的には作動ユニットだけでもガスを燃焼させ得るものであることが望ましい。従って筐体ユニットに拘らず、作動ユニットが完成した時点でその機能のテストをすることができる。この作動ユニットの独立性が本発明の一つの特徴となる。これに対して筐体ユニットの主な役割は作動ユニットにガス器具としての体裁を与え、全体をまとめる点にある。
【００１２】
上記作動ユニットと、筐体ユニットとは、互いに嵌め合わされる嵌合手段によって所定の位置関係に規定される。嵌合手段の具体的構造の例としては一般に嵌合及び係合等と呼ばれる関係を持つもので良い。しかし、所定の位置関係に規定された両ユニットは外見上１台のガス燃焼器具と変わらないが、固定されておらずそのままでは使えない状態である。
【００１３】
固定されていないだけで一体的になっている上記作動ユニットと筐体ユニットとを、ガス燃焼器具として使用可能な状態に結合、固定するために固定手段が用いられる。固定手段は作動、筐体両ユニットの一方に設けられた結合子と他方のユニットに設けられた結合相手とから成るのであればどのようなものでも良い。
【００１４】
作動ユニットと筐体ユニットとは単に嵌合、分離可能であるだけではなく、分離したときに筐体内が空虚となりかつ嵌合部にて底面が露出する構造となることが望ましい。それによって器具内部の汚れを落とし易いからである。作動ユニットの分離により、筐体ユニットから作動系統が取り去られるため丸洗いも可能である。
【００１５】
【実施例】
以下図示の実施例を参照して本発明をより詳細に説明する。図１は１種類の作動ユニット１１と、２種類の筐体ユニット１２、１３を示している。この作動ユニット１１と、標準型筐体ユニット１２を組み合わせたのが図２に示した標準型ガスこんろ１４であり、同じ作動ユニット１２と風防の高い筐体ユニット１３を組み合わせたのが図３に示した耐風型ガスこんろ１５である。
【００１６】
作動ユニット１１は、燃焼部１６、ガス燃料の減圧器１７と器具栓１８とを有する制御部１９、小型ガス容器２０の取り付け部つまり容器収納部２１とそれらを一体に組み合わせる基礎部材となっている構造体２２を有する（図４参照）。図中、２３は小型ガス容器２０の接続部、２４は燃焼部１６の下に位置する混合気形成部、２５は同形成部２４へ制御部１９からガスを送るガス配管、２６は燃焼部周りの採熱部から採り入れた燃焼熱を加湿部２７へ誘導する採熱板である。また、２８は器具栓操作のための摘みを示す。
【００１７】
これに対して筐体ユニット１２、１３は、作動ユニット１１の構造体２２を重ねる底板３０と、その周囲を取り囲み、ガス器具の外板となる周面板３２、３３とから成る筐体（函）構造を有しており、各図において右側に配置される作動ユニット１１のために、作動ユニット１１を嵌合させる嵌合口３１が設けられている。嵌合口３１の下方は底板３０、前後は口枠部３４、３５で仕切られ、それぞれに作動ユニット１１の構造体下部と側枠部３６、３７とが嵌合する。つまり、筐体ユニット１２、１３の底板３０と口枠部３４、３５とは、作動ユニット１１の構造体下部と側枠部３６、３７と嵌まり合う嵌合手段の一部を構成する。
【００１８】
もう一つの嵌合手段が作動ユニット１１の構造体２２の先端部と筐体ユニット１２、１３の底板３０との間に設けられている。即ち、構造体２２の先端には略水平方向に突出した突片３８が設けてあり、これを差し込む係合口部３９が底板上に設けてあるので（図４参照）、前記嵌合手段の嵌合の終わりに、作動ユニット１１の構造体２２の先端部においても両ユニット１１と１２、１３の一体化がなされる（図５（ａ）、（ｂ）参照）。作動ユニット１１と筐体ユニット１２、１３とは、互いに側方から嵌合するものであり、このことは突片３８が水平方向を向き、これを係合口部３９に差し込む作業が、嵌合手段の嵌合の終わりに行われることから分かる。
【００１９】
このような嵌合手段により作動ユニット１１と筐体ユニット１２、１３は所定の位置関係に規定された状態となるが、さらにこの状態を固定するために、当該両ユニット１１と１２、１３に固定手段を設ける。例示の固定手段４０は、フックで示された結合子４１及び結合子４１を操作するためそれと組み合わさったレバー４２と、結合子４１の結合及び離脱が可能な結合相手４３とから成る（図６以下参照）。なお、レバー４２は軸４４によって作動ユニット１１側に取り付けられ、結合子４１は軸４５によってレバー４２に取り付けられている。このロック機構によって、両軸４４、４５の間隔の２倍程結合子４１を締め緩めるために動かすことができる。
【００２０】
図６〜図８は、固定手段４０を含む、ガス器具の主として作動ユニット１１に取り付けられる飾り板４６を示している。各図は器具栓摘み２８を取り付ける正面の部品であり、その部分の形状、構造は異なるが、この固定手段４０のための部品は器具背面側にも同様に設けられる。
【００２１】
筐体ユニット１２、１３の開放した上面には汁受け皿４７が設置される。汁受け皿４７は燃焼部１６を露出させる開口４８を有し、その周りの上面に五徳４９が設けられている。汁受け皿４７は勿論着脱可能であり、設置高さは燃焼部１６に対して一定であるので、高い風防部５０を有する例では燃焼部１６が十分に囲まれる。支点は左右５１、５２のほか結合部５３にも設けられている。
【００２２】
斯くして作動ユニット１１と複数の筐体ユニット１２、１３とは自由に組み合わせて１台のガス燃焼器具を構成できることとなり、かつ着脱も自由であるが、これは筐体ユニット１２、１３のタイプが同一のものでも異なったものでもどちらでも良い。実施例では標準型ガスこんろと耐風型ガスこんろの２例を示しただけであるが、例えば汁受け皿に代わる焼き肉用グリルを有する焼き肉器や、さらにはストーブであるとか、コーヒーメーカーの機能を持った筐体ユニットを組み合わせる等、多様な展開が可能である。
【００２３】
【発明の効果】
本発明は以上の如く構成され、かつ作用するものであるから作動ユニットと筐体ユニットを組み合わせて１台のガス燃焼器具を形成することが可能であり、組み合わせに際しては作動ユニットと筐体ユニットとを嵌合手段によって所定の位置関係に規定し、その上で固定手段を用いて固定するので、確実な固定を得ることが容易であり、その結果例えば筐体ユニット側の種類を増やすことによって製品展開を豊富にすることができ、また、故障や損傷の場合には不具合の生じたユニットのみの交換で済み、さらには清掃も容易である等顕著な効果を奏する。
【図面の簡単な説明】
【図１】本発明に係るガス燃焼器具の実施例を示す組み合わせ図。
【図２】形成された標準型ガスこんろを示す正面図。
【図３】同じく耐風型ガスこんろを示す正面図。
【図４】実施例に係るガス燃焼器具の平面構造を示す説明図。
【図５】（ａ）嵌合手段を示す図４のＶ−Ｖ線断面図。（ｂ）図５（ａ）の直交方向の断面図。
【図６】固定手段を含む飾り板の上面図。
【図７】同じく正面図。
【図８】図７のＶＩＩＩ−ＶＩＩＩ線に沿う飾り板の断面図。
【図１】
0003576929.tif 000002
【図２】
0003576929.tif 000003
【図３】
0003576929.tif 000004
【図４】
0003576929.tif 000005
【図５】
0003576929.tif 000006
【図６】
0003576929.tif 000007
【図７】
0003576929.tif 000008
【図８】
0003576929.tif 000009